(57)【特許請求の範囲】
【請求項１】
化粧料が収容される第１収容部及び該第１収容部と隣接配置される第２収容部を有するケース本体と、該ケース本体に回動自在に結合された蓋体と、前記第１収容部と前記第２収容部とを仕切る仕切りシートとを備える化粧用コンパクトケースであって、
前記ケース本体は、前記第１収容部及び前記第２収容部を有する収容部材を備え、
前記仕切りシートは、前記第１収容部を被覆する第１被覆部及び該第１被覆部から延出する第１固定片を有する第１仕切りシートと、前記第２収容部を被覆する第２被覆部及び該第２被覆部から延出する第２固定片を有する第２仕切りシートとを備え、
前記第１固定片及び前記第２固定片は、前記第１収容部及び前記第２収容部の間を介して前記収容部材の前記第１収容部の裏面側に配置し、かつ前記第１収容部の裏面で固定されている、化粧用コンパクトケース。
【請求項２】
前記第１固定片と前記第２固定片とは、互いに重ならない非重複領域を有しており、前記第１収容部の裏面で固定されている、請求項１に記載の化粧用コンパクトケース。
【請求項３】
前記第１固定片と前記第２固定片とは、互いに重なる重複領域を有しており、前記第１収容部の裏面で固定されている、請求項１に記載の化粧用コンパクトケース。
【請求項４】
前記第１収容部及び前記第２収容部は、前記蓋体の回動軸と平行な方向に隣接配置されている、請求項１〜３の何れか１項に記載の化粧用コンパクトケース。
【請求項５】
前記第１固定片は、前記第１被覆部の折り曲げ線と平行な方向の両端部に一対配され、前記第２固定片は、前記第２被覆部の折り曲げ線と平行な方向の中間部に配されている、請求項１〜４の何れか１項に記載の化粧用コンパクトケース。
【請求項６】
前記収容部材の前記第２収容部は、化粧料が収容される化粧料収容皿を配置可能な枠内に配置されている、請求項１〜５の何れか１項に記載の化粧用コンパクトケース。
【請求項７】
前記第１固定片及び前記第２固定片は、前記第１収容部の裏面に接合されている、請求項１〜６の何れか１項に記載の化粧用コンパクトケース。
【請求項８】
請求項１〜７の何れか１項に記載された化粧用コンパクトケースの前記第１収容部及び前記第２収容部に、使用する部位が異なる化粧料が収容されている化粧用コンパクト製品。
【発明の詳細な説明】
【技術分野】
【０００１】
本発明は、化粧料を収容する化粧用コンパクトケース及び化粧料が収容された化粧用コンパクト製品に関する。
【背景技術】
【０００２】
ファンデーション、チーク、アイシャドウ等の化粧料を収容する化粧用コンパクトケースとして、化粧料を収容する化粧用収容部を有するケース本体と、該ケース本体に回動自在に取り付けられる蓋体とを備え、化粧料が蓋体、特に蓋体の裏面に配された鏡等に付着したり、ケース本体内で化粧料が移染することを防止する仕切りシートを有するものが知られている（特許文献１参照）。仕切りシートは、化粧料収容部を被覆することで、化粧料の蓋体等への付着や他の化粧料収容部への移染を防止している。
【０００３】
また化粧用コンパクトケースには、ケース本体からの仕切りシートの落下や仕切りシートの紛失等を防止するために、仕切りシートがケース本体に固定されている場合がある。例えば特許文献２には、隣接配置された２つの化粧料収容部の間を貫通させて、一方の化粧料収容部側に折り曲げ、一方の化粧料収容部の裏面とケース本体との間で挟持固定された仕切りシートを有するコンパクト容器が開示されている。
【先行技術文献】
【特許文献】
【０００４】
【特許文献１】実用新案登録第３１８３４０１号公報
【特許文献２】特開２００７−１４６１４号公報
【発明の概要】
【発明が解決しようとする課題】
【０００５】
しかし、特許文献１に記載のコンパクト容器は、２つの化粧料収容部のうちの一方の化粧料収容部しか被覆していない。そのため、例えば一方の化粧料収容部に収容された化粧料が、ケース本体に収容された化粧道具等を介して蓋体等に付着した場合、付着した化粧料が蓋体等から他方の化粧料収容部に移染するおそれがある。化粧料の移染は、使用する部位が異なる化粧料が同じ化粧用コンパクトケースに収容されている場合に特に問題となる。これに対しては、特許文献２には、２つの化粧料収容部を被覆する２枚の仕切りシートを配している実施形態も開示されているが、この実施形態の２枚の仕切りシートは、２つの化粧料収容部を仕切る壁部で固定されているのみの構成であるため、繰り返し使用等により２枚の仕切りシートの固定が弱まった場合、２枚の仕切りシートが壁部から外れてしまうおそれがある。
【０００６】
したがって本発明の課題は、前述した従来技術が有する欠点を解消し得る化粧料コンパクトケース及び化粧用コンパクト製品を提供することにある。
【課題を解決するための手段】
【０００７】
本発明は、化粧料が収容される第１収容部及び該第１収容部と隣接配置される第２収容部を有するケース本体と、該ケース本体に回動自在に結合された蓋体と、前記第１収容部と前記第２収容部とを仕切る仕切りシートとを備えた化粧用コンパクトケースであって、
前記ケース本体は、前記第１収容部及び前記第２収容部を有する収容部材を備え、前記仕切りシートは、前記第１収容部を被覆する第１被覆部及び該第１被覆部から延出する第１固定片を有する第１仕切りシートと、前記第２収容部を被覆する第２被覆部及び該第２被覆部から延出する第２固定片を有する第２仕切りシートとを備え、前記第１固定片及び前記第２固定片は、前記第１収容部及び前記第２収容部の間を介して前記収容部材の前記第１収容部の裏面側に配置し、かつ前記第１収容部の裏面で固定されている、化粧用コンパクトケースを提供するものである。
【０００８】
また本発明は、上述した化粧用コンパクトケースの前記第１収容部及び前記第２収容部に、使用する部位が異なる化粧料が収容されている化粧用コンパクト製品を提供するものである。
【発明の効果】
【０００９】
本発明の化粧用コンパクトケースによれば、第１収容部を被覆する第１仕切りシート及び第２収容部を被覆する第２仕切りシートを、収容部材の第１収容部の裏面側で固定することで、第１仕切りシート及び第２仕切りシートを容易かつ確実にケース本体に固定することができる。また収容部材の第１収容部の裏面側のみで固定することで、第１収容部及び第２収容部のそれぞれ容量が減ることを防止することもできる。
また本発明の化粧用コンパクト製品によれば、第１収容部及び第２収容部に収容される化粧料が異なる部位に使用される化粧料の場合においても、それぞれの化粧料が移染することを確実に防止することが可能になる。
【図面の簡単な説明】
【００１０】
【図１】図１は、本発明の実施形態に係る化粧用コンパクトケースの斜視図である。
【図２】図２は、本発明の実施形態に係る化粧用コンパクトの分解斜視図である。
【図３】図３（ａ）は、本発明の実施形態に係る化粧用コンパクトケースに用いられる第１及び第２仕切りシートが固定されたケース本体を上方から見た平面図であり、図３（ｂ）は、図３（ａ）に示すケース本体のＡ−Ａ線断面図である。
【図４】図４（ａ）は、本発明に用いられる収容部材本体に第１及び第２仕切りシートが貼着された状態を上方から見た斜視図であり、図４（ｂ）は、下方から見た斜視図である。
【図５】図５（ａ）は、本発明に用いられる第１仕切りシートの展開状態を示す平面図であり、図５（ｂ）は、本発明に用いられる第２仕切りシートの展開状態を示す平面図である。
【図６】図６（ａ）〜図６（ｅ）は、本発明の実施形態の化粧用コンパクトの使用状態を示す図である。
【発明を実施するための形態】
【００１１】
以下本発明を、その好ましい実施形態に基づき図面を参照しながら説明する。
図１には、本発明の実施形態に係る化粧用コンパクトケース１の斜視図が示されており、図２には、化粧用コンパクトケース１の分解斜視図が示されている。図３（ａ）には、化粧用コンパクトケースに用いられる第１及び第２仕切りシートが固定されたケース本体を上方から見た平面図が示されており、図３（ａ）には、図３（ａ）に示すケース本体のＡ−Ａ線断面図が示されている。
なお、図１から図３（ｂ）に示す本実施形態に係る化粧用コンパクトケース１には化粧料が収容されていないが、この化粧用コンパクトケース１に化粧料を収容したものが、図６（ａ）〜図６（ｅ）に示す化粧用コンパクト製品１Ａとなる。また、本実施形態に係る化粧用コンパクトケース１は、蓋体３を閉じた状態において、その外形が、稜線が丸みを帯びた薄型の板状に形成されている（例えば図６（ａ）参照）。
【００１２】
図１に示すように、化粧用コンパクトケース１は、化粧料が収容される第１収容部２１及び該第１収容部２１と隣接配置される第２収容部２２を有するケース本体２と、ケース本体２に回動自在に結合された蓋体３と、第１収容部２１と第２収容部２２とを仕切る第１仕切りシート４及び第２仕切りシート５とを備えている。
【００１３】
図２に示すように、ケース本体２は、上面が開口した深さの浅い容器であり、平面視して矩形形状をしている。平面視して矩形形状のケース本体２は、図３に示すように、長手方向Ｘ及びこれと直交する幅方向Ｙを有している。ケース本体２の長手方向Ｘの一方側（以下、「後方側」ともいう）Ｘ１には、蓋体３の後述する回動軸３０を回転自在に支持する軸受２０が設けられている。長手方向Ｘの他方側（以下、「前方側」ともいう）Ｘ２には、蓋体３に形成される後述する係合部３４と係合可能な被係合部２４が設けられている。
軸受２０は、蓋体３の回動軸３０が長手方向Ｘと直交する方向（以下、「幅方向」ともいう）Ｙと平行になるように、回動軸３０を回転自在に支持するように形成されている。被係合部２４は、係合部３４と係合することで、蓋体３を閉じた後に蓋体３が開かないようにケース本体２に蓋体３をロックさせる。被係合部２４における係合部３４とのロック機構は、公知の化粧用コンパクトケースに用いられるロック機構を使用することができる。
【００１４】
またケース本体２は、図２に示すように、第１収容部２１及び第２収容部２２を有する収容部材６を備えている。収容部材６は、図３に示すように、第１収容部２１と第２収容部２２とが蓋体３の回動軸３０と平行な方向に隣接配置されるように、ケース本体２の内部に接合されている。このように本実施形態においては、第１収容部２１及び第２収容部２２を有する収容部材６をケース本体２の内部に接合することで、第１収容部２１及び第２収容部２２を有するケース本体２が形成されるようになっている。なお、本実施形態では、収容部材６の第１収容部２１は、長手方向Ｘに隣接配置された第１樹脂皿２１ａ及び第２樹脂皿２１ｂにより構成されており、第２収容部２２は、長手方向Ｘに隣接配置された金属製の第１金皿２２ａ、第２金皿２２ｂ及び第３金皿２２ｃにより構成されている。
【００１５】
収容部材６は、上述したように、第１収容部２１と第２収容部２２とが回動軸３０と平行な方向（幅方向Ｙ）に隣接配置されるようにケース本体２に接合されている。そのため、図３に示すように、第１収容部２１と第２収容部２２との境界が回動軸３０と直交する方向に位置している。そして本実施形態では、回動軸３０と直交している、第１収容部２１と第２収容部２２との境界から第１仕切りシート４及び第２仕切りシート５が延出している。第１仕切りシート４及び第２仕切りシート５は、回動軸３０と直交する後述する上方折り曲げ線４４ａ，４４ｂ，５４（図５（ａ）及び図５（ｂ）参照）を中心に、第１収容部２１及び第２収容部２２側に折り曲げ可能になっており、第１収容部２１と第２収容部２２とを被覆するようになっている。本実施形態では、図３に示すように、幅方向Ｙの略中央部に第１収容部２１と第２収容部２２との境界が位置しており、図１に示すように、幅方向Ｙの略中央部から第１仕切りシート４及び第２仕切りシート５のそれぞれが、幅方向Ｙの両側に位置する第１収容部２１及び第２収容部２２のそれぞれを被覆するようになっている。このように、幅方向Ｙの略中央部から、回動軸３０と直交する上部折り曲げ線４４ａ，４４ｂ，５４を中心に第１仕切りシート４及び第２仕切りシート５を折り曲げて第１収容部２１及び第２収容部２２のそれぞれを被覆しているので、第１収容部２１及び第２収容部２２に収容された化粧料を使用する際においても、第１仕切りシート４及び第２仕切りシート５を回動軸３０と平行な方向に回動させればよく、容易に第１収容部２１及び第２収容部２２を露出させることができる。なお、収容部材６、第１仕切りシート４及び第２仕切りシート５の具体的な構成については、後に詳しく説明する。
【００１６】
またケース本体２の内部における、収容部材６が接合される被接合部２５の前方側Ｘ２には、第３収容部２３が設けられている。即ち、被接合部２５はケース本体２の後方側Ｘ１に設けられ、第３収容部２３は、ケース本体２の前方側Ｘ２に設けられている。被接合部２５と第３収容部２３とは、上方に向けて立設された壁部２６により仕切られている。壁部２６により仕切られた被接合部２５の中に、収容部材６が収容される。第３収容部２３は、幅方向Ｙの長さが、収容部材６の幅方向Ｙの長さと同等に形成されており、平面視して矩形状に形成されている。第３収容部２３には、ブラシやチップブラシ等の化粧道具が収容可能になっている。第３収容部２３を設けることで、化粧道具も一体で持ち運び可能になる。
【００１７】
ケース本体２の周縁部には、図１及び図２に示すように、上方に向けて立設された本体嵌合部位２７が設けられている。一方、蓋体３の周縁部には、蓋体嵌合部位３７が設けられている。そして、化粧用コンパクトケース１は、蓋体３を回動させてケース本体２を閉じる際に、ケース本体２の本体嵌合部位２７と、蓋体３の蓋体嵌合部位３７とが嵌合することで閉蓋状態となる。またこのとき、蓋体３の係合部３４がケース本体２の被係合部２４に係止することで、蓋体３がケース本体２にロックされた状態になる。
【００１８】
図１及び図２に示すように、蓋体３は、ケース本体２と同様に、平面視して矩形形状をしており、ケース本体２と嵌合可能な大きさとなっている。平面視して矩形形状の蓋体３は、ケース本体２と嵌合した状態（ケース本体２を閉じた状態）において、長手方向Ｘ及びこれと直交する幅方向Ｙを有している。
蓋体３は、幅方向Ｙと平行な回動軸３０を有しており、回動軸３０がケース本体２の軸受２０に回動自在に支持されることで、ケース本体２に対して回動自在に結合された状態になっている。なおこの結合は、蓋体３に設けられる回動軸３０とケース本体２に設けられる軸受２０とにより実現させたが、この結合方法に制限されず、例えば、蝶番を用いた蝶着を採用することもできる。
蓋体３の内面には、鏡３１が取り付けられている。蓋体３の内面における回動軸３０と反対側の端部には、蓋体３を閉じた状態においてケース本体２の被係合部２４と対応する位置に、前述した係合部３４が設けられている。係合部３４は、蓋体３の内面から突出しており、ケース本体２の被係合部２４と係合可能な形状に形成されている。
【００１９】
次に、上述した収容部材６、第１仕切りシート４及び第２仕切りシート５の具体的な構成について、図２〜図３（ｂ）に加え、図４（ａ）〜図５（ｂ）を参照しながら説明する。
図４（ａ）には、収容部材６の収容部材本体６０に第１仕切りシート４及び第２仕切りシート５が貼着された状態を上方から見た斜視図が示されており、図４（ｂ）には、下方から見た斜視図が示されている。図５（ａ）には、第１仕切りシート４の展開状態の平面図が秘めされており、図５（ｂ）には、第２仕切りシート５の展開状態の平面図が示されている。
【００２０】
図２〜図３（ｂ）に示すように、収容部材６は、第１収容部２１及び第２収容部２２を有しており、平面視して矩形形状に形成されている。また収容部材６は、ケース本体２に設けられた被接合部２５に接合可能な大きさに形成されており、被接合部２５に接合された状態で、第１収容部２１と第２収容部２２とが幅方向Ｙに並んだ状態となるように形成されている。
【００２１】
前述したように、本実施形態の収容部材６の第１収容部２１は、第１樹脂皿２１ａ及び第２樹脂皿２１ｂにより構成されており、第２収容部２２は、第１金皿２２ａ、第２金皿２２ｂ及び第３金皿２２ｃにより構成されている。そのため、本実施形態の収容部材６は、第１樹脂皿２１ａ及び第２樹脂皿２１ｂを有すると共に、第１〜第３金皿２２ａ〜２２ｃを支持可能に形成された収容部材本体６０と、収容部材本体６０に支持される第１〜第３金皿２２ａ〜２２ｃとを備えて構成されている。つまり、本実施形態の収容部材６では、第１収容部２１と第２収容部２２とが別体に構成されている。
なお、本実施形態では、第２収容部２２を第１金皿２２ａ、第２金皿２２ｂ及び第３金皿２２ｃにより構成することで、第１収容部２１と第２収容部２２とが別体の収容部材６を用いたが、第１収容部２１と第２収容部２２とを一体形成した収容部材を用いても良い。例えば、第２収容部を、第１収容部２１と同様な樹脂皿により構成して、第１収容部と第２収容部とを一体としてもよい。この場合、第１収容部と第２収容部との間に、第１仕切りシート４の後述する一対の第１固定片４１ａ，４１ｂ及び第２仕切りシート５の後述する第２固定片５１を挿入可能なスリット部を設けると良い。
【００２２】
図４（ａ）及び図４（ｂ）に示すように、収容部材本体６０は、第１樹脂皿２１ａ及び第２樹脂皿２１ｂを有する第１収容部２１と、第２収容部２２としての第１〜第３金皿２２ａ〜２２ｃを支持可能に形成された金皿支持部６１とを備えている。第１収容部２１と金皿支持部６１とは合成樹脂材料により一体成型されている。
第１樹脂皿２１ａ及び第２樹脂皿２１ｂは、上面が開口した深さの浅い薄型の容器状に形成されており、平面視して矩形形状に形成されている。第１樹脂皿２１ａと第２樹脂皿２１ｂとは、収容部材６をケース本体２に接合した状態における長手方向Ｘに隣接配置されており、本実施形態では、第１樹脂皿２１ａ及び第２樹脂皿２１ｂには、口紅が収容されるようになっている。
【００２３】
図４（ａ）及び図４（ｂ）に示すように、金皿支持部６１は枠状に形成されており、第１〜第３金皿２２ａ〜２２ｃを枠内に配置可能な第１〜第３貫通口６２ａ〜６２ｃを有している。具体的に、金皿支持部６１は、第１収容部２１から連続する外枠６３を備えており、外枠６３の中に２つの仕切り部６４ａ，６４ｂを設けることで、第１〜第３貫通口６２ａ〜６２ｃを形成している。２つの仕切り部６４ａ，６４ｂは、収容部材６をケース本体２に接合した状態における長手方向Ｘに並んで設けられている。つまり、第１〜第３貫通口６２ａ〜６２ｃも収容部材６をケース本体２に接合した状態における長手方向Ｘに並んで設けられており、第１〜第３貫通口６２ａ〜６２ｃに配置される第１〜第３金皿２２ａ〜２２ｃも該長手方向Ｘに並んで配置されるようになっている。
【００２４】
第２収容部２２を構成する第１〜第３金皿２２ａ〜２２ｃは、上面が開口した深さの浅い薄型の容器状に形成されており、平面視して矩形形状に形成されている。金属製の第１〜第３金皿２２ａ〜２２ｃには、その内部にファンデーション、チーク、アイシャドウ、コンシーラー等の化粧料が収容される。本実施形態においては、第１〜第３金皿２２ａ〜２２ｃには、３色のアイシャドウが収容されるようになっている。
【００２５】
図５（ａ）に示すように、第１仕切りシート４は、第１収容部２１を被覆する第１被覆部４０と、第１被覆部４０から延出する一対の第１固定片４１ａ，４１ｂとを有している。
【００２６】
第１被覆部４０は、第１収容部２１の第１樹脂皿２１ａ及び第２樹脂皿２１ｂを被覆可能な大きさの矩形形状に形成されている。
【００２７】
一対の第１固定片４１ａ，４１ｂは、後述する上部折り曲げ線４４ａ，４４ｂと平行な方向の両端部に設けられている。本実施形態では、一対の第１固定片４１ａ，４１ｂは、第１被覆部４０が収容部材６の第１収容部２１を被覆した状態における、金皿支持部６１の第１貫通口６２ａ及び第３貫通口６２ｃに対応する位置に設けられている。一対の第１固定片４１ａ，４１ｂは、第１被覆部４０が第１収容部２１を被覆した状態において、第１貫通口６２ａ及び第３貫通口６２ｃを介して第１収容部２１の裏面２１ｃに折り曲げられるようになっている。このように、収容部材６が第１貫通口６２ａ及び第３貫通口６２ｃを有することで、第１仕切りシート４の一対の第１固定片４１ａ，４１ｂを第１収容部２１と第２収容部２２との間に位置させた状態に容易にすることができる。
また一対の第１固定片４１ａ，４１ｂは、第１収容部２１の裏面２１ｃ側に折り曲げられた状態で、第１収容部２１の裏面２１ｃに貼着される第１貼着部４２ａ，４２ｂと、第１被覆部４０と第１貼着部４２ａ，４２ｂとを連結する第１連結部４３ａ，４３ｂとを有している。第１貼着部４２ａ，４２ｂは、第１貫通口６２ａ及び第３貫通口６２ｃを介して第１収容部２１の裏面２１ｃに折り曲げられる観点から、第１貫通口６２ａ及び第３貫通口６２ｃよりも僅かに小さい相似形の矩形形状に形成されている。第１連結部４３ａ，４３ｂは、第１貼着部４２ａ，４２ｂが第１収容部２１の裏面２１ｃに貼り付けられる観点から、収容部材６における第１収容部２１と第２収容部２２との間の厚さ方向の長さに対応した長さに形成されている。また、第１被覆部４０と第１連結部４３ａ，４３ｂとの境界は、前述した上部折り曲げ線４４ａ，４４ｂを構成しており、上部折り曲げ線４４ａ，４４ｂは、第１被覆部４０が第１収容部２１側に折り曲がり易くなるように、第１収容部２１側に折り曲げた状態における内面側が薄肉状に形成されている。また、第１貼着部４２ａ，４２ｂと第１連結部４３ａ，４３ｂとの境界は、下部折り曲げ線４５ａ，４５ｂを構成しており、下部折り曲げ線４５ａ，４５ｂは、第１貼着部４２ａ，４２ｂが第１収容部２１の裏面２１ｃ側に折り曲がり易くなるように、第１収容部２１の裏面２１ｃ側に折り曲げた状態における内面側が薄肉状に形成されている。なお、上部折り曲げ線４４ａ，４４ｂ及び下部折り曲げ線４５ａ，４５ｂを薄肉状に形成するには、折り曲げた状態における内面側から、上部折り曲げ線４４ａ，４４ｂ及び下部折り曲げ線４５ａ，４５ｂに沿って押圧することで形成されるが、上部折り曲げ線４４ａ，４４ｂ及び下部折り曲げ線４５ａ，４５ｂに、罫線やミシン目を形成することで構成しても良い。
【００２８】
図５（ｂ）に示すように、第２仕切りシート５は、第２収容部２２を被覆する第２被覆部５０と、第２被覆部５０から延出する第２固定片５１とを有している。
第２被覆部５０は、金皿支持部６１に支持された第１〜第３金皿２２ａ〜２２ｃを被覆可能な大きさの矩形形状に形成されている。
第２固定片５１は、後述する上部折り曲げ線５４と平行な方向における中間部に設けられている。本実施形態では、上部折り曲げ線５４と平行な方向の略中央部に設けられている。具体的には、第２固定片５１は、第２被覆部５０が第２収容部２２を被覆した状態における、金皿支持部６１の第２貫通口６２ｂに対応する位置に設けられており、第２貫通口６２ｂ介して第１収容部２１の裏面２１ｃに折り曲げられるようになっている。このように、収容部材６が第２貫通口６２ｂを有することで、第２仕切りシート５の第２固定片５１を第１収容部２１と第２収容部２２との間に位置させた状態に容易にすることができる。また第２固定片５１は、第１収容部２１の裏面２１ｃ側に折り曲げられた状態で、第１収容部２１の裏面２１ｃに貼着される第２貼着部５２と、第２被覆部５０と第２貼着部５２とを連結する第２連結部５３とを有している。第２貼着部５２は、第２貫通口６２ｂを介して第１収容部２１の裏面２１ｃに折り曲げられる観点から、第２貫通口６２ｂよりも僅かに小さい相似形の矩形形状に形成されている。第２連結部５３は、第２貼着部５２が第１収容部２１の裏面２１ｃに貼り付けられる観点から、収容部材６における第１収容部２１と第２収容部２２との間の厚さ方向の長さに対応した長さに形成されている。また、第２被覆部５０と第２連結部５３との境界は、前述した上部折り曲げ線５４を構成しており、上部折り曲げ線５４は、第２被覆部５０が第２収容部２２側に折り曲がり易くなるように、第２収容部２２側に折り曲げた状態における内面側が薄肉状に形成されている。また、第２貼着部５２と第２連結部５３との境界は、下部折り曲げ線５５を構成しており、下部折り曲げ線５５は、第２貼着部５２が第１収容部２１の裏面２１ｃ側に折り曲がり易くなるように、第１収容部２１の裏面２１ｃ側に折り曲げた状態における内面側が薄肉状に形成されている。なお、上部折り曲げ線５４及び下部折り曲げ線５５を薄肉状に形成するには、折り曲げた状態における内面側から、上部折り曲げ線５４及び下部折り曲げ線５５に沿って押圧することで形成されるが、上部折り曲げ線５４及び下部折り曲げ線５５に、罫線やミシン目を形成することで構成しても良い。
【００２９】
このように、第１仕切りシート４の一対の第１固定片４１ａ，４１ｂを、第１被覆部４０が第１収容部２１を被覆した状態における金皿支持部６１の第１貫通口６２ａ及び第３貫通口６２ｃに対応する位置に配し、第２仕切りシート５の第２固定片５１を、第２被覆部５０が第２収容部２２を被覆した状態における、金皿支持部６１の第２貫通口６２ｂに対応する位置に配することで、第１収容部２１の裏面２１ｃで、一対の第１貼着部４２ａ，４２ｂと第２貼着部５２とが重ならない状態になる。言い換えると、一対の第１貼着部４２ａ，４２ｂと第２貼着部５２とが非重複領域を有することになる。そのため、第１収容部２１の裏面２１ｃで一対の第１貼着部４２ａ，４２ｂ及び第２貼着部５２を貼り付けることによる厚さが増えることを抑制可能になる。これにより、第１収容部２１の第１樹脂皿２１ａ及び第２樹脂皿２１ｂの深さが浅くなることを防止することが可能になる。これは、本実施形態の化粧用コンパクトケース１のように薄型の化粧用コンパクトケースには有効となる。
【００３０】
なお、本実施形態では、一対の第１固定片４１ａ，４１ｂの第１貼着部４２ａ，４２ｂと第２固定片５１の第２貼着部５２とが重ならないように第１収容部２１の裏面２１ｃに貼り付けたが、非重複領域を有する（重ならない部分を有する）ように貼り付けても良い。非重複領域を有するように貼り付けた場合においても、第１収容部２１の第１樹脂皿２１ａ及び第２樹脂皿２１ｂの深さが浅くなることを防止ないし抑制することができる。
【００３１】
また、本実施形態では、一対の第１固定片４１ａ，４１ｂの第１貼着部４２ａ，４２ｂと第２固定片５１の第２貼着部５２とが重ならないように第１収容部２１の裏面２１ｃに貼り付けたが、重複部分を有する（重なる部分を有する）ように貼り付けても良い。重複部分を有するように貼り付けた場合においては、例えば、化粧用コンパクト製品１Ａを落としてしまった場合に、第１貼着部４２ａ，４２ｂと第２貼着部５２との重複部分に衝撃を吸収させることができる。
【００３２】
なお、本実施形態では、収容部材６はケース本体２の内面に塗工した粘着剤によりケース本体２に接合するが、他の接合手段で接合しても良い。例えばケース本体２の内面に両面テープを張り付け、両面テープを介して収容部材６をケース本体２の内面に接合しても良い。
また、収容部材６及び第１〜第３金皿２２ａ〜２２ｃをケース本体２に固定するための接着剤としては、この種の物品の製造に従来使用されている各種公知の接着剤等を特に制限なく使用することができる。例えば、常温で粘着性を示す１液型又は２液型の接着剤や、感熱性の接着剤等を使用することができる。接着剤の塗工方法も各種公知の方法を採用することができ、例えばスプレー塗工、スロットスプレー塗工、コントロールウィーブ塗工、グラビア塗工、ダイコータ塗工、シルクスクリーン塗工等が挙げられる。
【００３３】
上述した化粧用コンパクトケース１は、蓋体における鏡以外の部分は、例えば、それぞれ合成樹脂の成形品である。蓋体の鏡は、その成形品に接着剤、両面テープ等の公知の手段により固定する。また、化粧用コンパクトケース１の蓋体は、ステンレス、アルミ等の金属をプレス成型等して形成することもできる。
【００３４】
第１仕切りシート４及び第２仕切りシート５は、合成樹脂製のシートであることが好ましく、例えば、ポリエチレンテレフタレート、ポリプロピレン、ポリカーボネート等の樹脂からなるものや、これらの樹脂などで複数層に形成したもの等を用いることができる。また、紙に、熱可塑性樹脂をラミネートしたラミネート紙を用いることもできる。また、第１仕切りシート４及び第２仕切りシート５は、透明であることが好ましいが、不透明であっても良い。また透明である場合、第１被覆部４０及び第２被覆部５０に、第１収容部及び第２収容部に収容される化粧料の種類を印刷すると良い。
【００３５】
第１仕切りシート４及び第２仕切りシート５の厚みは、特に制限されず、構成樹脂に応じて適宜の厚みとすることができる。例えば、構成樹脂が、ポリエチレンテレフタレートやポリプロピレンである場合、第１仕切りシート４及び第２仕切りシート５を形成するシートの厚みは、シートの耐久性、使用感、形状保持、作業性の観点から、好ましくは０．０７５ｍｍ以上、更に好ましくは０．１ｍｍ以上であり、また、第１仕切りシート４及び第２仕切りシート５の開閉力を良好とする観点等から、好ましくは０．５ｍｍ以下、更に好ましくは０．３ｍｍ以下である。具体的には、０．０７５ｍｍ以上０．５ｍｍ以下、好ましくは０．１ｍｍ以上０．３ｍｍ以下である。
【００３６】
図６（ａ）〜図６（ｅ）には、本発明の実施形態の化粧用コンパクト製品１Ａの使用状態が示されている。
まず、図６（ａ）に示す閉蓋状態にある化粧用コンパクト製品１Ａの蓋体３を開き、ケース本体２の内部を開放する。閉蓋状態においては、化粧用コンパクト製品１Ａは、第１仕切りシート４の第１被覆部４０が蓋体３により付勢されることで第１収容部２１を被覆した状態になっている。そのため、例えば、先の使用時等に第２収容部２２に収容された化粧料が蓋体３等に移染してしまった場合においても、移染したアイシャドウが第１収容部２１に収容された口紅に更に移染することが防止される。同様に、閉蓋状態においては、第２仕切りシート５の第２被覆部５０が蓋体３に付勢されることで、第２被覆部５０が第１〜第３金皿２２ａ〜２２ｃを被覆した状態になっているので、化粧用コンパクト製品１Ａを携帯した状態で移動した場合においても、第１〜第３金皿２２ａ〜２２ｃに収容されたアイシャドウが蓋体等に移染することが防止される。
【００３７】
図６（ｂ）に示すように、蓋体３を開放すると、第１被覆部４０及び第２被覆部５０が蓋体３に付勢されていた状態からの上部折り曲げ線４４ａ，４４ｂ，５４の反力により僅かに立ち上がる。蓋体３を開放した際に第１被覆部４０及び第２被覆部５０が僅かに立ち上がることで、使用者が第１被覆部４０及び第２被覆部５０を捲り易くなる。
【００３８】
図６（ｃ）に示すように、第１収容部２１に収容された口紅を使用する場合には、第１仕切りシート４を第２収容部２２側に回動させる。一方、図６（ｄ）に示すように、第２収容部２２に収容されたアイシャドウを使用する場合には、第２仕切りシート５を第１収容部２１側に回動させる。このように、化粧用コンパクト製品１Ａは、蓋体３の回動軸３０と直交する方向を中心に第１仕切りシート４及び第２仕切りシート５が回動するため、第１収容部２１及び第２収容部２２のいずれに収容された化粧料を使用する場合においても、第１収容部２１及び第２収容部２２を露出させやすい。
【００３９】
また、使用が終わった後は、図６（ｅ）に示すように、第１仕切りシート４が第１収容部２１を被覆し、第２仕切りシート５が第２収容部２２を被覆するため、例えば、化粧道具に付着した化粧料が蓋体３等に付着した場合においても、付着した化粧料が第１収容部２１に収容された化粧料や第２収容部２２に収容部された化粧料に移染することを確実に防止することができる。
【００４０】
上述のように構成された化粧用コンパクトケース１及び化粧用コンパクト製品１Ａによれば、以下の効果を奏する。
例えば、化粧用コンパクトケース１及び化粧用コンパクト製品１Ａは、第１仕切りシート４及び第２仕切りシート５が、収容部材本体６０における第１収容部２１と第２収容部２２（第１〜第３金皿２２ａ〜２２ｃ）との間を介して収容部材本体６０における第１収容部２１の裏面２１ｃで固定されている。そのため、第１仕切りシート４及び第２仕切りシート５を確実にケース本体２に固定することができる。
【００４１】
また、化粧用コンパクトケース１及び化粧用コンパクト製品１Ａは、第１仕切りシート４の一対の第１固定片４１ａ，４１ｂと、第２仕切りシート５の第２固定片５１とが重ならないように、第１収容部２１の裏面２１ｃに貼着されている。そのため、一対の第１固定片４１ａ，４１ｂと第２固定片５１とが重なる部分（重複部分）を有するように貼着される場合よりも、貼着部分の厚さを薄くすることができる。これにより、一対の第１固定片４１ａ，４１ｂと第２固定片５１とが重なった状態で貼着する場合よりも第１収容部２１の第１樹脂皿２１ａ及び第２樹脂皿２１ｂの深さを深くすることができる。その結果、一対の第１固定片４１ａ，４１ｂと第２固定片５１とを重ねて貼着する場合よりも第１収容部２１に、より多くの化粧料（本実施形態では口紅）を収容させることができる。
【００４２】
また、化粧用コンパクトケース１及び化粧用コンパクト製品１Ａは、第１収容部２１と第２収容部２２とが幅方向Ｙに隣接配置されている。そのため、第１仕切りシート４及び第２仕切りシート５が長手方向Ｘに沿って配置され、幅方向Ｙの略中央部から、幅方向Ｙの両側に隣接配置された第１収容部２１及び第２収容部２２を被覆することができる。これにより、例えば、第１収容部２１に収容された口紅を使用する場合においても、隣接配置された第２収容部２２を被覆する第２仕切りシート５が邪魔になることがなく、第２収容部２２に収容されたアイシャドウを使用する場合においても、隣接配置された第１収容部２１を被覆する第１仕切りシート４が邪魔になることもない。
【００４３】
また本発明の化粧用コンパクト製品１Ａによれば、第１収容部２１及び第２収容部２２に収容される化粧料が異なる部位に使用される化粧料の場合においても、それぞれの化粧料が移染することを確実に防止することが可能になるので、安全性を向上させることができる。
【００４４】
以上、本発明をその好ましい実施形態に基づき説明したが、本発明は前記実施形態に制限されない。例えば本実施形態では、第１仕切りシート４及び第２仕切りシート５は、第１貼着部４２ａ，４２ｂ及び第２貼着部５２に張り付けられた両面テープを用いて収容部材６の第１収容部２１の裏面２１ｃに接合したが、他の接合手段で接合しても良い。例えば一対の第１固定片４１ａ，４１ｂ及び第２固定片５１に粘着剤を塗布して第１収容部２１の裏面２１ｃに張り付けても良く、一対の第１固定片４１ａ，４１ｂ及び第２固定片５１の一部を融着又は融着材を介して一対の第１固定片４１ａ，４１ｂ及び第２固定片５１第１収容部２１の裏面２１ｃに接合しても良い。
【００４５】
また、本実施形態においては、第１仕切りシート４の一対の第１固定片４１ａ，４１ｂを上部折り曲げ線４４ａ，４４ｂと平行な方向の両端部に設け、第２仕切りシート５の第２固定片５１を上部折り曲げ線５４と平行な方向の略中央部に設けることで、一対の第１固定片４１ａ，４１ｂと第２固定片５１とを互い違いにして、第１収容部２１の裏面２１ｃで重ならないように貼付したが、少なくとも、第１仕切りシート４の一対の第１固定片の間に、第２仕切りシート５の第２固定片が位置するように配することで、第１固定片４１ａ，４１ｂと第２固定片５１とが重ならないようにしても良い。例えば、第１仕切りシート及び第２仕切りシートが複数の固定片を有する場合、第１仕切りシート及び第２仕切りシートの固定片が交互に配されるようにすると良い。この場合、収容部材本体は、それぞれの固定片の位置に対応した複数の貫通口又はスリット部等を有するように構成すると良い。
【００４６】
また本実施形態では、収容部材６は、幅方向Ｙの一方に収容部材６と一体で形成する第１収容部２１を配し、幅方向Ｙの他方側に第１〜第３金皿２２ａ〜２２ｃを支持可能な枠体により形成したが、幅方向Ｙの他方側を収容部材と一体成型しても良い。この場合第１収容部と第２収容部との間に、第１仕切りシートの第１固定片及び第２仕切りシートの第２固定片を挿通可能なスリット部を設け、該スリット部を介して第１固定片及び第２固定片を貫通させ、第１固定片及び第２固定片を第１収容部の裏面で固定しても良い。この場合、第１固定片及び第２固定片を片方の収容部の裏面に固定させればよく、例えば、第２収容部の裏面で固定しても良い。
【００４７】
また、収容部材を、樹脂皿が形成された第１収容部材と、樹脂皿が形成された第２収容部材の２部材から構成しても良い。この場合、第１収容部材と第２収容部材とを連結して１部材とする連結手段を有すると良い。
【００４８】
また本実施形態では、ケース本体２及び蓋体３を平面視して矩形形状に形成したが、ケース本体２及び蓋体３は、平面視して正方形や五角形、円形、楕円形等であっても良い。
また、第１仕切りシート４及び第２仕切りシート５は、第３収容部２３を被覆可能となるように、第３収容部２３まで延びていても良い。
【符号の説明】
【００４９】
１  化粧用コンパクトケース
１Ａ  化粧用コンパクト製品
２  ケース本体
２０    軸受
２１    第１収容部
２１ｃ    裏面
２２    第２収容部
２２ａ，２２ｂ，２２ｃ    第１金皿，第２金皿，第３金皿（化粧料収容皿）
３  蓋体
３０    回動軸
４  第１仕切りシート
４０    第１被覆部材
４１ａ，４１ｂ    第１固定片
５  第２仕切りシート
５０    第２被覆部材
５１    第２固定片
６  収容部材
【図１】
0006600585.tif 000002
【図２】
0006600585.tif 000003
【図３】
0006600585.tif 000004
【図４】
0006600585.tif 000005
【図５】
0006600585.tif 000006
【図６】
0006600585.tif 000007